(57)【要約】【課題】簡単に電子機器を組み立てるようにするとともに、更に、電子機器のヒンジ構造における防水性を高かくする。【解決手段】筐体２と筐体３は二軸ヒンジ構造４によって連結している。二軸ヒンジ構造４の内部には配線体１００が設けられ、この配線体１００は筐体２の内部から二軸ヒンジ構造４の内側を通って筐体３にまで配索されている。配線体１００は、防水チューブ１０１と、防水チューブ１０１の一端に取り付けられたシール１０２と、シール１０２に巻装されたオーリング１０３と、防水チューブ１０１の他端に取り付けられたシール１０５と、シール１０５に巻装されたオーリング１０６と、防水チューブ１０１に通された細線同軸ケーブル１０７と、を備える。シール１０２及びオーリング１０３が筐体３の貫通孔３４ａに嵌め込まれ、シール１０５及びオーリング１０６が筐体２の貫通孔２４に嵌め込まれている。【選択図】図３
2008263285.tif 000002
【特許請求の範囲】
【請求項１】
２つの筐体と、
前記２つの筐体を連結したヒンジ構造と、
前記ヒンジ構造の内部に配索されたチューブと、
前記チューブに通され、前記チューブの端部から延出し、一方の筐体の内部から他方の筐体の内部に配索された電気信号用ケーブルと、
前記電気信号用ケーブルに巻装されるとともに前記チューブの端部に取り付けられたシールと、
前記シールに巻装された弾性材と、を備え、
前記筐体の内部に通じる貫通孔が前記筐体の前記ヒンジ構造側に形成され、
前記電気信号用ケーブルが前記貫通孔に通され、前記シール及び前記弾性材が前記貫通孔に嵌め込まれていることを特徴とする電子機器。
【請求項２】
前記シールと前記チューブとの継手部分に巻装された熱収縮性チューブを更に備えることを特徴とする請求項１に記載の電子機器。
【請求項３】
前記ヒンジ構造が、互いに直交する２つの軸線周りに回動可能に前記２つの筐体を連結する二軸ヒンジ構造であることを特徴とする請求項１又は２に記載の電子機器。
【請求項４】
チューブ及び前記チューブに通されるとともに前記チューブの端部から延出した電気信号用ケーブルをヒンジ構造の内部に配索し、
筐体の内部に通じる貫通孔に前記電気信号用ケーブルを通し、前記電気信号用ケーブルを前記筐体から別の筐体まで配索し、
前記電気信号用ケーブルに巻装されるとともに前記チューブの端部に取り付けられたシール及び前記シールに巻装された弾性材を前記貫通孔に嵌め込み、
前記ヒンジ構造を前記筐体に連結するとともに前記ヒンジ構造を前記別の筐体に連結することを特徴とする電子機器の組立方法。
【請求項５】
前記シールと前記チューブとの継手部分を熱収縮性チューブに嵌入することを特徴とする請求項４に記載の電子機器の組立方法。
【発明の詳細な説明】
【技術分野】
【０００１】
本発明は、電子機器及びその組立方法に関し、特に２つの筐体をヒンジ構造で連結してなる電子機器及びその組立方法に関する。
【背景技術】
【０００２】
近年、携帯電話機といった携帯型電子機器には、キー操作部が設けられた第１の筐体と、表示部が設けられた第２の筐体とをヒンジ構造で連結したものがあり、ヒンジ構造としては一軸ヒンジ構造や二軸ヒンジ構造のものがある。このような携帯型電子機器においては、電気信号用ケーブルをヒンジ構造の内部に通し、電気信号用ケーブルの一端部を第１の筐体内に導き、他端部を第２の筐体内に導き、電気信号用ケーブルの各端部をそれぞれの筐体内の回路に接続している。
【０００３】
ところで、ヒンジ構造内に水が浸入すると、その水が電気信号用ケーブルを伝って筐体内に浸入しやすく、防水性を確保することができないという問題がある。そこで、防水性を高めた携帯型電子機器が開発されている（特許文献１、特許文献２参照）。
【０００４】
特許文献１では、フレキシブルなシート状の電気信号用ケーブル（１０）に防水キャップ（１４）をインサート成型することでその防水キャップを電気信号用ケーブルの一部の周囲に設け、電気信号用ケーブルを筐体（２）の挿入孔（２ｃ）に通すとともに防水キャップをその挿入孔に嵌め込んでいる。防水キャップによって挿入孔の壁面と電気信号用ケーブルとの間の隙間が封止される。しかしながら、このような構成は、樹脂製の防水キャップをインサート成型により電気信号用ケーブルに一体的に取り付けるので、ＦＰＣ（フレキシブル配線基板）以外の電気信号用ケーブルには適用することができない。
【０００５】
特許文献２では、同軸型の電気信号用ケーブル（１１）を防水チューブ（１２）に通し、電気信号用ケーブルの一端側を一方の筐体（１）の取付孔（１４）に挿通させ、電気信号用ケーブルの他端側を他方の筐体（２）の取付孔（１４）に挿通させ、更に防水チューブの両端を取付孔に嵌め込んでいる。防水チューブの具体的な取付構造は、取付孔に挿入された防水チューブの端部開口に取付金具（１３）の筒部（１３ａ）を圧入したものである。取付金具を筐体の内側から取り付けるため、組み立て作業が困難である。
【特許文献１】特開２００４−２１４９２７号公報
【特許文献２】特開２００５−３２５８４９号公報
【発明の開示】
【発明が解決しようとする課題】
【０００６】
本発明は、簡単に電子機器を組み立てるようにするとともに、更に、電子機器のヒンジ構造における防水性を高かくすることを課題とする。
【課題を解決するための手段】
【０００７】
以上の課題を解決するため、請求項１に係る発明は、電子機器において、
２つの筐体と、
前記２つの筐体を連結したヒンジ構造と、
前記ヒンジ構造の内部に配索されたチューブと、
前記チューブに通され、前記チューブの端部から延出し、一方の筐体の内部から他方の筐体の内部に配索された電気信号用ケーブルと、
前記電気信号用ケーブルに巻装されるとともに前記チューブの端部に取り付けられたシールと、
前記シールに巻装された弾性材と、を備え、
前記筐体の内部に通じる貫通孔が前記筐体の前記ヒンジ構造側に形成され、
前記電気信号用ケーブルが前記貫通孔に通され、前記シール及び前記弾性材が前記貫通孔に嵌め込まれていることを特徴とする。
【０００８】
請求項２に係る発明は、請求項１に記載の電子機器において、
前記シールと前記チューブとの継手部分に巻装された熱収縮性チューブを更に備えることを特徴とする。
【０００９】
請求項３に係る発明は、請求項１又は２に記載の電子機器において、
前記ヒンジ構造が、互いに直交する２つの軸線周りに回動可能に前記２つの筐体を連結する二軸ヒンジ構造であることを特徴とする。
【００１０】
請求項４に係る発明は、電子機器の組立方法において、
チューブ及び前記チューブに通されるとともに前記チューブの端部から延出した電気信号用ケーブルをヒンジ構造の内部に配索し、
筐体の内部に通じる貫通孔に前記電気信号用ケーブルを通し、前記電気信号用ケーブルを前記筐体から別の筐体まで配索し、
前記電気信号用ケーブルに巻装されるとともに前記チューブの端部に取り付けられたシール及び前記シールに巻装された弾性材を前記貫通孔に嵌め込み、
前記ヒンジ構造を前記筐体に連結するとともに前記ヒンジ構造を前記別の筐体に連結することを特徴とする。
【００１１】
請求項５に係る発明は、請求項４に記載の電子機器の組立方法において、
前記シールと前記チューブとの継手部分を熱収縮性チューブに嵌入することを特徴とする。
【発明の効果】
【００１２】
本発明によれば、電気信号用ケーブルに巻装されたシールがチューブの端部に取り付けられ、そのシールに弾性材が巻かれ、弾性材とシールが筐体の貫通孔に嵌め込まれているから、貫通孔の壁面と電気信号用ケーブルとの間の隙間がシール及び弾性材により塞がれる。そのため、ヒンジ構造内部に水が浸入しても、水が貫通孔を通じて筐体に浸入しない。特に、弾性材によってその浸水が防止される。
また、ヒンジ構造によって２つの筐体を回動させて、電気信号用ケーブルが捻れても、弾性材が貫通孔の壁面を摺動しない。そのため、防水性能を維持することができる。
また、電気信号用ケーブルにシール及び弾性材が巻装されているので、電気信号用ケーブルを貫通孔に通して、シール及び弾性材を貫通孔に嵌め込むだけで、防水性を確保することができる。そのような防水性を確保するための電子機器の組み立てが簡単である。
【発明を実施するための最良の形態】
【００１３】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１４】
図１は携帯電話機１の各状態を示した図面であり、図２は携帯電話機１の分解斜視図であり、図３は図２とは異なる角度から見た分解斜視図である。この携帯電話機１は携帯型の電子機器である。
【００１５】
図１〜図３に示すように、この携帯電話機１は、第１の筐体２と、第２の筐体３と、第１の筐体２と第２の筐体３を連結した二軸ヒンジ構造４と、第１の筐体２の内部から二軸ヒンジ構造４の内部を通って第２の筐体３にかけて配索された配線体１００と、を備える。第１の筐体２の前面にはテンキーといったキー操作部２１が設けられ、第２の筐体３の前面には透明な表示窓３１が設けられている。
【００１６】
二軸ヒンジ構造４は、第１の筐体２の前面に直交した軸線４１と、第２の筐体３の前面と背面との間において第１の筐体２の幅方向に延びた軸線４２とを有する。軸線４１と軸線４２は互いに直交している。第２の筐体３は二軸ヒンジ構造４によって軸線４１を中心にして回動可能に設けられ、更に、第２の筐体３は二軸ヒンジ構造４によって軸線４２を中心にして回動可能に設けられている。第１の筐体２に対する第２の筐体３の開閉は、軸線４２を中心に第２の筐体３を回動させて行う。第２の筐体３の表裏反転は、軸線４１を中心に第２の筐体３を回動させて行う。
【００１７】
ここで、図１（ａ）は、第２の筐体３の前面を第１の筐体２の前面に対向させてこれらを閉じた状態を示し、図１（ｃ）は、第２の筐体３の前面と第１の筐体２の前面を前方に向けてこれらを開いた状態を示し、図１（ｂ）は、図１（ａ）の状態から図１（ｃ）の状態へ開く場合又はこの逆に閉じる場合において図１（ａ）の状態と図１（ｃ）の状態との間の状態を示す。図１（ｄ）は、第２の筐体３の前面を第１の筐体２の前面に対向させて第２の筐体３を軸線４１の周りに回動させている状態を示し、図１（ｅ）は、第２の筐体３を軸線４２の周りに回動させている状態を示し、図１（ｆ）は、第２の筐体３の背面を第１の筐体２の前面に対向させてこれらを閉じた状態を示す。
【００１８】
図２及び図３に示すように、第２の筐体３は前面ケース３２と、背面ケース３３とを備える。図３に示すように、図３に示すように、前面ケース３２の背面側には隔壁３４が凸設されている。隔壁３４が前面ケース３２の縁に沿って枠状に設けられ、隔壁３４の内側に収納凹部３５が形成され、収納凹部３５が隔壁３４によって囲繞されている。隔壁３４の頂面には溝３６が凹設され、この溝３６が隔壁３４と同様に全周に亘って設けられている。なお、溝３６には、リング状のゴムパッキンが嵌め込まれている。
【００１９】
図２に示すように、背面ケース３３の前面側には収納凹部３７が凹設されている。収納凹部３７の縁が隔壁３４の形状に一致している。前面ケース３２と背面ケース３３がはり合わせられ、隔壁３４が収納凹部３７の縁に沿うようにして収納凹部３７に嵌め込まれ、前面ケース３２と背面ケース３３がネジ等により接合されている。これにより第２の筐体３が設けられ、収納凹部３７及び収納凹部３５が第２の筐体３の中空となり、この中空にディスプレイパネルユニットが収容され、そのディスプレイパネルユニットの表示面が表示窓３１に対向している。
【００２０】
二軸ヒンジ構造４について説明する。図２及び図３に示すように、二軸ヒンジ構造４は、軸線４１周りの回動を実現する転回ヒンジ４３と、軸線４２周りの回動を実現するヒンジユニット４４と、転回ヒンジ４３を上から覆うヒンジカバー４５と、転回ヒンジ４３の右側を覆って第２の筐体３に組み付けられた左カバー４６と、ヒンジユニット４４を介して転回ヒンジ４３の左側を覆って第２の筐体３に組み付けられた右カバー４７と、を備える。
【００２１】
転回ヒンジ４３の第１の回動部材５７が第１の筐体２に固定され、第１の回動部材５７に枢軸５１が設けられ、転回ヒンジ４３の枢軸５１によって第２の回動部材８０が第１の回動部材５７に対して軸線４１周りに回動可能に設けられ、第２の回動部材８０が左右のカバー４６，４７に対して軸線４２周りに回動可能に設けられ、左右のカバー４６，４７が第２の筐体３に組み付けられている。これにより、第２の筐体３が第１の筐体２に対して軸線４１周り及び軸線４２周りに回動可能となっている。
【００２２】
二軸ヒンジ構造４のうちまず転回ヒンジ４３について説明する。
図４〜図６は転回ヒンジ４３を示した図面である。ここで、図４は転回ヒンジ４３の分解斜視図であり、図５は図４とは異なる角度から見た分解斜視図であり、図６は軸線４１及び軸線４２によって規定された面で転回ヒンジ４３を破断して示した斜視断面図である。
【００２３】
図４〜図６に示すように、枢軸５１の基端にはフランジ５２が一体形成され、枢軸５１の先端にもフランジ５５が一体形成されている。フランジ５５は転回ヒンジ４３を組み立てた後にカシメ加工されたものである。そのため、転回ヒンジ４３を組み立てる前では枢軸５１の先端のフランジ５５が形成されていない。この枢軸５１には、通し孔５６がその基端から先端まで軸線４１に沿って貫通している。また、枢軸５１の先端寄りの部分５４が円筒状に形成されている。枢軸５１の基端寄りの部分５３は円筒ではなく、軸線４１に垂直な断面において軸線４１から周縁上の一点までの距離と軸線４１から周縁上の他の一点までの距離とが異なっている。以下、枢軸５１の基端寄りの部分５３を角形管部５３といい、先端寄りの部分を円筒部５４という。
【００２４】
第１の回動部材５７は板状に設けられ、第１の回動部材５７の一方の面に凹部５９が凹設され、第１の回動部材５７の他方の面にボス５８が凸設され、挿通孔６０がボス５８の頂面から凹部５９の底まで貫通している。枢軸５１が挿通孔６０に挿入され、枢軸５１がボス５８の頂面から突出している。枢軸５１が挿通孔６０に挿入された状態においては、フランジ５２が凹部５９に嵌め込まれ、角形管部５３が挿通孔６０に嵌合している。角形管部５３が挿通孔６０に嵌合しているので、第１の回動部材５７が枢軸５１に対して軸線４１周りの回動を止められている。なお、第１の回動部材５７と枢軸５１が別体であるが、これらが一体形成されていても良い。
【００２５】
ボス５８は二段状に設けられ、ボス５８の下部はボス５８の上部よりも径が大きい。第１の回動部材５７には、規制板６２が重ねられている。この規制板６２には、開口６３が貫通している。この開口６３の縁は、第１の回動部材５７のボス５８の下部の径よりもやや大きい小径部６４と、小径部６４と同心であって小径部６４の径よりも大きな径となる大径部６５とからなり、小径部６４と大径部６５との間に段差６６，６７が形成されている。そして、第１の回動部材５７のボス５８が開口６３に挿入されて、ボス５８の下部の周面と小径部６４との間には隙間が形成され、ボス５８の下部の周面と大径部６５との間には隙間が形成されている。そして、この規制板６２は、第１の回動部材５７とともに第１の筐体２に固定されている。なお、第１の回動部材５７と規制板６２が別体であるが、これらが一体形成されていても良く、この場合、ボス５８と大径部６５との隙間が円弧状の溝となり、ボス５８と小径部６４との隙間が円弧状の溝となり、ボス５８と大径部６５との間の溝の幅がボス５８と小径部６４との間の溝の幅よりも広い。
【００２６】
規制板６２にはシート１２１が重ねられており、このシート１２１の開口１２２にボス５８が挿入されている。開口１２２の径はボス５８の径よりも大きい。
【００２７】
ボス５８の上部はオーリング６１に挿入され、オーリング６１がボス５８の上部に巻かれている。オーリング６１は弾性材特にゴム弾性材からなるものである。ボス５８の頂面には、リング状の止水プレート６８が重ねられている。この止水プレート６８には挿通孔６９が貫通しており、枢軸５１が挿通孔６９に挿入され、枢軸５１の角形管部５３が挿通孔６９に嵌合している。角形管部５３が挿通孔６９に嵌合しているので、止水プレート６８が枢軸５１に対して軸線４１周りの回動を止められている。止水プレート６８のボス５８側の面であってその縁部には、リング状の突条７０が設けられ、突条７０によってボス５８の上部が囲繞され、突条７０とボス５８の下部との間にオーリング６１が挟まれている。
【００２８】
止水プレート６８には、ディスクスプリング７１が重ねられている。ディスクスプリング７１が円環状に設けられ、枢軸５１がディスクスプリング７１に挿入され、ディスクスプリング７１が枢軸５１に対して軸線４１周りに回動可能となっている。このディスクスプリング７１は、軸線４１に直交する面に対して傾斜することで軸線４１方向への弾性変形をするように設けられている。
【００２９】
ディスクスプリング７１には、第１のクリックリング７２が重ねられている。第１のクリックリング７２の穴７３に枢軸５１が挿入され、この穴７３に枢軸５１の角形管部５３が嵌合している。これにより、第１のクリックリング７２は枢軸５１に対して回動が止められ、枢軸５１と第２のクリックリング７２が一体に回動するようになっている。第１のクリックリング７２の一方の面（その面はディスクスプリング７１とは反対側の面である。）には、２つの凸部７４が形成され、２つの凸部７４が軸線４１に関して１８０°の対称位置にある。
【００３０】
第１のクリックリング７２には、第２のクリックリング７５が重ねられている。第２のクリックリング７５の穴７６に枢軸５１が挿入され、この穴７６が円形であるので、枢軸５１が第２のクリックリング７５に対して回動可能とされている。第２のクリックリング７５の一方の面（その面は第１のクリックリング７２側の面である。）には、２つの凹部７７が形成され、２つの凹部７７が軸線４１に関して１８０°の対称位置にある。第１のクリックリング７２と第２のクリックリング７５の相対的な回動に伴って、凹部７７に凸部７４が入り込んだり、凹部７７から凸部７４が抜けたりする。
【００３１】
第２のクリックリング７５の他方の面（その面は第１のクリックリング７２とは反対側の面である。）には、２つの係合爪７５ａが凸設されている。また、その面であって穴７６の周囲には、リング状の突条７８が設けられている。突条７８にオーリング７９が重なっており、枢軸５１の円筒部５４がオーリング７９に挿入され、オーリング７９が円筒部５４に巻かれている。オーリング７９は弾性材特にゴム弾性材からなるものである。
【００３２】
第２の回動部材８０の下面（この下面は第１の回動部材５７側の面である。）には、円形状の凹部８１が形成され、第２の回動部材８０の上面（この上面は第１の回動部材５７とは反対側の面である。）にも、円形状の凹部８２が形成されている。そして、凹部８１の底から反対側の凹部８２の底まで貫通孔８３が貫通している。
【００３３】
ボス５８、オーリング６１、止水プレート６８、ディスクスプリング７１、第１のクリックリング７２、第２のクリックリング７５及びオーリング７９が第２の回動部材８０の凹部８１に収納され、オーリング７９が第２のクリックリング７５の突条７８と凹部８１の底との間に挟まれている。枢軸５１は第２の回動部材８０の貫通孔８３に挿入され、枢軸５１が第２の回動部材８０に対して軸線４１周りに回動可能となっている。また、凹部８１の底には２つの係合溝が形成され、第２のクリックリング７５の係合爪７５ａが係合溝に係合することによって、第２のクリックリング７５は第２の回動部材８０に対して回動が止められている。
【００３４】
第２の回動部材８０の下面であって凹部８１の周囲には、リング状の突条８７が設けられ、突条８７が規制板６２の開口６３に挿入されて、突条８７の周面が小径部６４に接している。突条８７の径は小径部６４の径とほぼ等しく、突条８７は小径部６４に接した状態で規制板６２に対して軸線４１周りに回動可能となっている。また、第２の回動部材８０の下面であって突条８７の外側には、ストッパ８６が設けられている。このストッパ８６は円弧状に設けられており、突条８７と同心となっている。ストッパ８６も規制板６２の開口６３に挿入されてストッパ８６の周面が大径部６５に接している。ストッパ８６の径は大径部６５の径とほぼ等しく、ストッパ８６は大径部６５に接した状態で規制板６２に対して軸線４１周りに回動可能となっている。第２の回動部材８０が枢軸５１、第１の回動部材５７及び規制板６２に対して回動し得る範囲は、ストッパ８６が段差６６に当接して止められた状態と、ストッパ８６が段差６７に当接して止められた状態との間であり、具体的には１８０°である。
【００３５】
第２の回動部材８０の凹部８２にはワッシャー８４，８５が順に重ねられ、枢軸５１がワッシャー８４，８５に挿入されている。枢軸５１のフランジ５５がワッシャー８５に重なって、フランジ５５と凹部８２の底との間にワッシャー８４，８５が挟まれている。このように枢軸５１のフランジ５２及びフランジ５５によって、第１の回動部材５７、オーリング６１、規制板６２、シート１２１、止水プレート６８、ディスクスプリング７１、第１のクリックリング７２、第二のクリックリング７５及びオーリング７９からの枢軸５１の抜けが防止されている。
【００３６】
転回ヒンジ４３は以上のように構成されている。
【００３７】
次に、転回ヒンジ４３と左カバー４６の組付構造について説明する。
図４〜図６に示すように、第２の回動部材８０の左側面には、筒状部８８が凸設され、筒状部８８の左端面には、嵌合凹部９２が凹設されている。
【００３８】
図２、図３、図７及び図８に示すように、左カバー４６の右側には軸穴４６ａが形成されており、この軸穴４６ａにヒンジユニット４４に挿入され、このヒンジユニット４４が更に筒状部８８の嵌合凹部９２に挿入されている。ここで、図７及び図８は軸線４１及び軸線４２によって規定された面の断面図であり、図８は図２と同様に携帯電話機１が分解された状態で示されている。
【００３９】
ヒンジユニット４４は、軸穴４６ａに嵌合して左カバー４６に支持された第１の嵌合体４４ａと、嵌合凹部９２に嵌合して第２の回動部材８０の筒状部８８に支持された第２の嵌合体４４ｂと、を有する。第１の嵌合体４４ａは第２の嵌合体４４ｂに対して軸線４２回りに回動可能とされている。このヒンジユニット４４は、第１の嵌合体４４ａに対する第２の嵌合体４４ｂの回動の際に所定の角度で他の角度よりも大きな抵抗を発生させてクリック感を発生させるものである。なお、軸穴４６ａの一部に筒状部８８が挿入されており、筒状部８８の外周面が円柱面とされているので、左カバー４６が筒状部８８に対して軸線４２回りに回動可能となっている。
【００４０】
次に、転回ヒンジ４３と右カバー４７の組付構造について説明する。
図４〜図６に示すように、第２の回動部材８０の右側面には、半円筒部８９が凸設されている。筒状部８８の外周面及び半円筒部８９の外周面は軸線４２において同心の円柱面とされている。半円筒部８９が半円筒状とされており、半円筒部８９の中空９０が上側で開放している。第２の回動部材８０の上面（この上面は第１の回動部材５７とは反対側の面である。）には、凹部８２及び中空９０に連なる溝９１が凹設されている。
【００４１】
図２、図３、図７及び図８に示すように、右カバー４７の左側から上側にかけて収容凹部４７ａが形成されており、収容凹部４７ａに半円筒部８９が挿入されている。半円筒部８９の外周面が円柱面とされているので、右カバー４７が半円筒部８９に対して軸線４２回りに回動可能とされている。
【００４２】
次に、転回ヒンジ４３とヒンジカバー４５の組付構造について説明する。
図２に示すように、ヒンジカバー４５は側面視して下側で開口したＵ字状に設けられており、ヒンジカバー４５の内側前面と内側後面のそれぞれには、２つの係合凹部４５ａが凹設されている。一方、第２の回動部材８０の前面と後面のそれぞれには２つの爪８０ａが凸設されている。そして、ヒンジカバー４５が第２の回動部材８０の上から第２の回動部材８０の前面、上面及び後面を覆って、ヒンジカバー４５の係合凹部４５ａに爪８０ａが係止している。こにより、ヒンジカバー４５が転回ヒンジ４３に組み付けられている。また、ヒンジカバー４５が転回ヒンジ４３に組み付けられると、第２の回動部材８０の上面の凹部８２及び溝９１がヒンジカバー４５によって上から覆われる。
【００４３】
以上のように、転回ヒンジ４３にヒンジカバー４５、左カバー４６及び右カバー４７が組み付けられることによって、二軸ヒンジ構造４が構成されている。
【００４４】
次に、二軸ヒンジ構造４と第１の筐体２の組付構造、特に転回ヒンジ４３と第１の筐体２の組付構造について説明する。
図２及び図７に示すように、第１の筐体２の前面には取付凹部２２が形成されている。取付凹部２２には、第１の回動部材５７及び規制板６２が取付凹部２２に嵌め込まれている。図４及び図５に示すように、第１の回動部材５７の４つの角部には通し孔５７ａが貫通しており、規制板６２の４つの角部にも通し孔６２ａが貫通している。また、取付凹部２２の底であって４つの通し孔５７ａに対応する箇所に有底状の凹部が設けられ、凹部にはナットが嵌め込まれ、これらナットは第１の筐体２に固定されている。そして、図２、図３、図７及び図８に示すように、第１の回動部材５７及び規制板６２が取付凹部２２に嵌め込まれた状態で、ネジが通し孔５７ａ及び通し孔６２ａを通ってナットに螺合している。ネジの締結によって第１の回動部材５７が取付凹部２２に嵌め込まれた状態で第１の筐体２に接合されている。通し孔６２ａ及び通し孔５７ａはシート１２１によって閉塞されている。
【００４５】
次に、二軸ヒンジ構造４と第２の筐体３の組付構造、特に左カバー４６及び右カバー４７と第２の筐体３の組付構造について説明する。
図３、図７、図８及び図９に示すように、前面ケース３２の背面側であって左右両側には、突起３８，３９が形成されている。これら突起３８，３９は収納凹部３５内でなく、隔壁３４の外側に設けられている。ここで、図９は図３のＸ−Ｘ線に沿った面の矢視断面図である。
【００４６】
また、左カバー４６には係合部４６ｃが設けられ、係合部４６ｃに貫通孔４６ｂが形成され、この貫通孔４６ｂに突起３８が嵌め込まれている。右カバー４７には係合爪４７ｂが設けられ、係合爪４７ｂが突起３９に係合している。補強板４０が係合部４６ｃ、突起３８、係合爪４７ｂ及び突起３９を覆って、前面ケース３２と背面ケース３３がはり合わせられ、係合部４６ｃ、係合爪４７ｂ及び補強板４０が前面ケース３２と背面ケース３３との間に挟持されている。背面ケース３３には、通し孔３３ａが突起３８に対応して形成され、通し孔３３ｂが突起３９に対応して形成されている。突起３８，３９にはネジ穴が形成され、通し孔３３ａに挿入されたネジが突起３８のネジ穴に螺合し、通し孔３３ｂに挿入されたネジが突起３９のネジ穴に螺合している。これらネジの締め付けによって前面ケース３２と背面ケース３３が固定され、カバー４６，４７が第２の筐体３に固定されている。
【００４７】
次に、配線体１００について説明する。
図１０〜図１２に示すように、配線体１００は、防水チューブ１０１と、防水チューブ１０１の一端に取り付けられた管状のシール１０２と、シール１０２に巻装されたオーリング１０３と、防水チューブ１０１の他端に取り付けられた管状のシール１０５と、シール１０５に巻装されたオーリング１０６と、防水チューブ１０１、シール１０２及びシール１０５に挿入され、シール１０２から外に延出するとともにシール１０５から外に延出した細線同軸ケーブル１０７と、細線同軸ケーブル１０７の一端に取り付けられたコネクタ１０８と、細線同軸ケーブル１０７の他端に取り付けられたコネクタ１０９と、を備える。図１０は配線体１００の斜視図であり、図１１はシール１０２における配線体１００の断面図であり、図１２はシール１０５における配線体の断面図である。
【００４８】
防水チューブ１０１は可撓性を有し、屈曲可能である。防水チューブ１０１はゴム材料（例えば、ニトリルゴム、水素化ニトリルゴム、フッ素ゴム、シリコンゴム、エチレンプロピレンゴム）からなり、具体的にはシリコンチューブ又はシリコンゴムチューブを防水チューブ１０１として用いる。
【００４９】
防水チューブ１０１に細線同軸ケーブル１０７が挿入されている。この細線同軸ケーブル１０７は、複数の同軸型細線を束ねたものであり、電気信号を伝達するケーブルである。同軸型細線とは、内部導体の外周に、順次、絶縁層、外部導体層、保護層を形成してなるものである。
【００５０】
シール１０２が管状に設けられ、細線同軸ケーブル１０７がシール１０２に挿入され、シール１０２が細線同軸ケーブル１０７に巻装されている。また、シール１０２の一部が防水チューブ１０１の端部に嵌め込まれている。シール１０２はゴム材料（例えば、ニトリルゴム、水素化ニトリルゴム、フッ素ゴム、シリコンゴム、エチレンプロピレンゴム）からなる。シール１０２の中腹外周面には溝が周方向に亘って形成され、その溝にオーリング１０３が嵌め込まれている。オーリング１０３は弾性材特にゴム弾性材からなるものである。
【００５１】
更に、オーリング１０３よりも先の部分にも溝１０２ａが周方向に亘って形成され、これによりシール１０２の先端部に爪１０２ｂが形成されている。シール１０２が防水チューブ１０１の一端に合わせられ、シール１０２と防水チューブ１０１の継手部分が熱収縮性チューブ１１０によって被覆されている。熱収縮性チューブ１１０によってシール１０２が防水チューブ１０１の一端に取り付けられ、熱収縮性チューブ１１０の収縮力によってシール１０２と細線同軸ケーブル１０７との密着性や防水チューブ１０１と細線同軸ケーブル１０７との密着性が高くなっている。
【００５２】
シール１０５が管状に設けられ、細線同軸ケーブル１０７がシール１０５に挿入され、シール１０５が細線同軸ケーブル１０７に巻装されている。また、シール１０５の一部が防水チューブ１０１の端部に嵌め込まれている。シール１０５はゴム材料（例えば、ニトリルゴム、水素化ニトリルゴム、フッ素ゴム、シリコンゴム、エチレンプロピレンゴム）からなる。シール１０５の中腹外周面にはフランジ１０５ａが周方向に亘って形成されている。シール１０５が防水チューブ１０１の他端に合わせられ、シール１０５と防水チューブ１０１の継手部分が熱収縮性チューブ１１１によって被覆されている。熱収縮性チューブ１１１によってシール１０６が防水チューブ１０１の他端に取り付けられ、熱収縮性チューブ１１０の収縮力によってシール１０５と細線同軸ケーブル１０７との密着性や防水チューブ１０１と細線同軸ケーブル１０７との密着性が高くなっている。フランジ１０５ａに関して熱収縮性チューブ１１１の反対側において、シール１０５がオーリング１０６に嵌め込まれている。オーリング１０６は弾性材特にゴム弾性材からなるものである。
【００５３】
次に、配線体１００と二軸ヒンジ構造４の組付構造について説明する。
図２、図７及び図８に示すように、配線体１００の細線同軸ケーブル１０７及び防水チューブ１０１が通し孔５６に通されている。そして、細線同軸ケーブル１０７及び防水チューブ１０１が凹部８２の底で屈曲され、更に細線同軸ケーブル１０７及び防水チューブ１０１の一部が溝９１及び中空９０に嵌められている。そして、細線同軸ケーブル１０７及び防水チューブ１０１は溝９１、中空９０及び収容凹部４７ａの壁面に沿って折り曲げられ、右カバー４７の収容凹部４７ａから上へ延出している。このように細線同軸ケーブル１０７及び防水チューブ１０１が二軸ヒンジ構造４の内部に配索され、細線同軸ケーブル１０７及び防水チューブ１０１の一端側が収容凹部４７ａから延出し、細線同軸ケーブル１０７及び防水チューブ１０１の他端側が通し孔５６から延出している。
【００５４】
次に、配線体１００と第１の筐体２の組付構造について説明する。
図２、図７及び図８に示すように、第１の筐体２の取付凹部２２の底には円形状の凹部２３が形成され、凹部２３の底に円形状の貫通孔２４が形成され、この貫通孔２４は第１の筐体２の内側空間まで貫通している。この貫通孔２４に細線同軸ケーブル１０７及び防水チューブ１０１の他端側が挿入され、更に貫通孔２４にシール１０５が嵌入している。貫通孔２４に嵌め込まれたシール１０５及びオーリング１０６が貫通孔２４の壁面に圧接している。
【００５５】
また、シール１０５のフランジ１０５ａが凹部２３に嵌め込まれ、フランジ１０５ａが凹部２３の底に当接し、フランジ１０５ａが凹部２３の底と枢軸５１のフランジ５２との間に挟持されている。フランジ１０５ａが凹部２３の底に当接することによって、シール１０５が第１の筐体２の内側に入り込まないようになっている。
【００５６】
第１の筐体２の内側空間には回路基板が搭載され、その回路基板にコネクタ１０９が接続されている。なお、細線同軸ケーブル１０７及び防水チューブ１０１が通し孔５６に通され、更に貫通孔２４に通された後に、コネクタ１０９が細線同軸ケーブル１０７の他端に取り付けられる。
【００５７】
このように、細線同軸ケーブル１０７に巻装されたシール１０５が防水チューブ１０１の端部に取り付けられ、シール１０５にオーリング１０６が巻かれ、シール１０５とオーリング１０６が貫通孔２４に嵌め込まれているから、貫通孔２４の壁面と細線同軸ケーブル１０７との間の隙間がシール１０５及びオーリング１０６により塞がれる。そのため、二軸ヒンジ構造４の内部に水が浸入しても、水が貫通孔２４を通じて第１の筐体２に浸入しない。特に、オーリング１０６によってその浸水が防止される。
【００５８】
次に、配線体１００と第２の筐体３の組付構造について説明する。
図２、図７及び図８に示すように、隔壁３４の下側側面には、貫通孔３４ａが貫通し、貫通孔３４ａを介して収納凹部３５と隔壁３４の下側が通じている。この貫通孔３４ａに細線同軸ケーブル１０７及び防水チューブ１０１の一端側が挿入され、更に貫通孔３４ａにシール１０２が嵌入している。貫通孔３４ａに嵌め込まれたシール１０２及びオーリング１０３が貫通孔３４ａの壁面に圧接している。また、シール１０２の爪１０２ｂが収納凹部３５内において隔壁３４に係止し、これによりシール１０２が貫通孔３４ａから外に抜けないようになっている。
【００５９】
第２の筐体３の内側においては、コネクタ１０８がディスプレイパネルユニットに接続されている。なお、コネクタ１０８はその回路基板にコネクタ１０９が接続されている。なお、細線同軸ケーブル１０７及び防水チューブ１０１が通し孔５６に通され、更に貫通孔３４ａに通された後に、コネクタ１０８が細線同軸ケーブル１０７の一端に取り付けられる。
【００６０】
このように、細線同軸ケーブル１０７に巻装されたシール１０２が防水チューブ１０１の端部に取り付けられ、シール１０２にオーリング１０３が巻かれ、シール１０２とオーリング１０３が貫通孔３４ａに嵌め込まれているから、貫通孔３４ａの壁面と細線同軸ケーブル１０７との間の隙間がシール１０２及びオーリング１０３により塞がれる。そのため、二軸ヒンジ構造４の内部に水が浸入しても、水が貫通孔３４ａを通じて第２の筐体３に浸入しない。特に、オーリング１０３によってその浸水が防止される。
【００６１】
携帯電話機１及び二軸ヒンジ構造４の作用について説明する。
まず、携帯電話機１が図１（ａ）〜（ｃ）の状態である場合、ストッパ８６が段差６７に当接している。これにより、第１の回動部材５７に対する第２の回動部材８０の時計回りの回転が止められている。ここで、時計回り、反時計回りとは、枢軸５１をフランジ５５からフランジ５２に向かって見た場合の回転方向とする。
【００６２】
ストッパ８６が段差６７に当接した状態では、第１のクリックリング７２の凸部７４が第２のクリックリング７５の凹部７７に入り込んでおり、ディスクスプリング７１の弾性力がフランジ５２とフランジ５５の間隔を広げるように作用し、その反作用でフランジ５２とフランジ５５の間に挟まれた部材が締め付けられ、これにより、第１の回動部材５７に対する第２の回動部材８０の反時計回りの回転も止められている。
【００６３】
そして、ディスクスプリング７１による締め付けに抗して第２の回動部材８０を第１の回動部材５７に対して反時計回りに回転させると、つまり、第２の筐体３を第１の筐体２に対して反時計回りに図１（ａ）の状態から図１（ｄ）の状態へ回転させると、凸部７４が凹部７７から抜ける。凸部７４が凹部７７から抜ける時に、凸部７４によって第１のクリックリング７２と第２のクリックリング７５の間隔が開く。これによりディスクスプリング７１が変形するので、ディスクスプリング７１の反発力をクリック感として感じることができる。
【００６４】
そして、第２の回動部材８０を第１の回動部材５７に対して反時計回りに１８０°回転させると、凸部７４が反対側の凹部７７に入り込む。この時、ディスクスプリング７１が復元し、その復元力をクリック感として感じることができる。そして、この状態では、ストッパ８６が段差６６に当接するので、第１の回動部材５７に対する第２の回動部材８０の反時計回りの回転が止められている。このとき、携帯電話機１は図１（ｆ）の状態にある。なお、ストッパ８６が段差６７に当接している状態を除いて、第１の筐体２に対して第２の筐体３を反時計回りに回転させることができ、ストッパ８６が段差６６に当接している状態を除いて、第１の筐体２に対して第２の筐体３を時計回りに回転させることができる。
【００６５】
以上が、第２の筐体３の反転に係る作用であり、配線体１００の細線同軸ケーブル１０７及び防水チューブ１０１がこの動作によって捻れたり、その捻れが戻ったりする。
【００６６】
第２の筐体３の開閉に係る作用について説明する。
軸線４２を中心に第２の筐体３を第１の筐体２に対して回動させると、右カバー４７が半円筒部８９の周りを回動するとともに、左カバー４６が筒状部８８の周りを回動する。ヒンジユニット４４についても、第１の嵌合体４４ａと第２の嵌合体４４ｂとが回動し、第１の嵌合体４４ａと第２の嵌合体４４ｂが所定の角度になった場合（例えば、図１（ａ）や図１（ｃ））、ヒンジユニット４４に回転抵抗が発生し、これによりクリック感を与える。
【００６７】
以上のように第２の筐体３を反転させたり開閉させたりしても、オーリング１０３，１０６が貫通孔３４ａや貫通孔２４の壁面に対して滑らないので、防水性能の低下を招かない。
【００６８】
次に、携帯電話機１の組立方法について説明する。
まず、細線同軸ケーブル１０７を防水チューブ１０１に通して、細線同軸ケーブル１０７を防水チューブ１０１の両端から延出させる。転回ヒンジ４３を組み立て、細線同軸ケーブル１０７及び防水チューブ１０１を転回ヒンジ４３の通し孔５６に通す。なお、この時点では、コネクタ１０８，１０９及びシール１０２，１０５は細線同軸ケーブル１０７に設けられていない。
【００６９】
続いて、オーリング１０３が設けられたシール１０２に細線同軸ケーブル１０７の一端側を通す。続いて、シール１０２の一部を防水チューブ１０１の端部に嵌め込み、シール１０２と防水チューブ１０１の継手部分を熱収縮性チューブ１１０に嵌入し、その継手部分を熱収縮性チューブ１１０で覆う。このように、熱収縮性チューブ１１０の収縮力によってシール１０２を防水チューブ１０１の一端に取り付ける。
【００７０】
続いて、オーリング１０６が設けられたシール１０５に細線同軸ケーブル１０７の他端側を通す。続いて、シール１０５の一部を防水チューブ１０１の端部に嵌め込み、シール１０５と防水チューブ１０１の継手部分を熱収縮性チューブ１１１に嵌入し、その継手部分を熱収縮性チューブ１１１で覆う。このように、熱収縮性チューブ１１１の収縮力によってシール１０５を防水チューブ１０１の一端に取り付ける。
【００７１】
続いて、細線同軸ケーブル１０７の一端を前面ケース３２の貫通孔３４ａに通し、シール１０２を貫通孔３４ａに圧入する。続いて、細線同軸ケーブル１０７及び防水チューブ１０１を折り曲げて溝９１及び中空９０に嵌め込み、転回ヒンジ４３の半円筒部８９を右カバー４７に嵌め込む。続いて、ヒンジユニット４４の第１の嵌合体４４ａを左カバー４６の軸穴４６ａに嵌め込み、第２の嵌合体４４ａを筒状部８８の嵌合凹部９２に嵌め込むとともに筒状部８８を軸穴４６ａに挿入する。
【００７２】
続いて、左カバー４６の貫通孔４６ｂに突起３８を嵌め込むとともに、右カバー４７の係合爪４７ｂを突起３９に係止させる。続いて、細線同軸ケーブル１０７の他端を第１の筐体２の貫通孔２４に通し、シール１０５を貫通孔２４に圧入し、第１の回動部材５７及び規制板６２を取付凹部２２に嵌め込む。そして、ネジによって第１の回動部材５７及び規制板６２を第１の筐体２に固定する。
【００７３】
続いて、細線同軸ケーブル１０７の一端にコネクタ１０８を取り付けるとともに、細線同軸ケーブル１０７の他端にコネクタ１０９を取り付ける。続いて、コネクタ１０８をディスプレイユニットに接続し、ディスプレイユニットを収納凹部３５に収納する。そして、補強板４０を係合部４６ｃ、突起３８、係合爪４７ｂ及び突起３９に被せて、前面ケース３２に背面ケース３３をはり合わせ、ネジによって前面ケース３２と背面ケース３３を固定する。
【００７４】
続いて、コネクタ１０９を回路基板に接続し、回路基板の収納後、第１の筐体２を組み立てる。以上により、携帯電話機１を組み立てることができる。
【００７５】
このように、細線同軸ケーブル１０７にシール１０２及びオーリング１０３が巻装されているので、細線同軸ケーブル１０７を貫通孔３４ａに通して、シール１０２及びオーリング１０３を貫通孔３４ａに嵌め込むだけで、防水性を確保することができる。反対側についても、シール１０５及びオーリング１０６を貫通孔２４に嵌め込むだけで、防水性を確保することができる。このような防水性を確保するための携帯電話機１の組み立てが簡単である。
【００７６】
なお、本発明は、上記実施形態に限定されることなく、本発明の趣旨を逸脱しない範囲において、種々の改良並びに設計の変更を行っても良い。
例えば、上記実施形態では携帯型電子機器として携帯電話機１を例に挙げて説明を行ったが、２つの筐体を二軸ヒンジ構造４で連結した携帯型電子機器であれば、ノート型パーソナルコンピュータ、デジタルカメラ、腕時計、ＰＤＡ（Personal Digital Assistance）、電子手帳、携帯型無線機、その他の電子機器に本発明を適用しても良い。
また、上記実施形態では、二軸ヒンジ構造４によって第２の筐体３が第１の筐体２に対して軸線４１の周りに回動可能とされ、更に、二軸ヒンジ構造４によって第２の筐体３が第１の筐体２に対して軸線４２の周りに回動可能とされているが、一軸ヒンジ構造によって第２の筐体３が軸線４１と軸線４２のうちのどちらか一方の周りに第２の筐体３に対して回動可能とされていても良い。
【図面の簡単な説明】
【００７７】
【図１】図１は、本発明の実施形態における携帯電話機の動きを示した図である。
【図２】図２は、携帯電話機の分解斜視図である。
【図３】図３は、携帯電話機の分解斜視図である。
【図４】図４は、一軸ヒンジの分解斜視図である。
【図５】図５は、一軸ヒンジの分解斜視図である。
【図６】図６は、一軸ヒンジの斜視断面図である。
【図７】図７は、携帯電話機のヒンジ構造における分解断面図である。
【図８】図８は、携帯電話機のヒンジ構造における断面図である。
【図９】図９は、図３のＸ−Ｘ線に沿った面の矢視断面図である。
【図１０】図１０は、配線体の斜視図である。
【図１１】図１１は、配線体の断面図である。
【図１２】図１２は、配線体の断面図である。
【符号の説明】
【００７８】
１  携帯電話機      
２  第１の筐体      
３  第２の筐体      
４  ヒンジ構造      
２４  貫通孔      
３４ａ  貫通孔      
１０２、１０５  シール      
１０３、１０６  オーリング      
１０７  細線同軸ケーブル      
１１０、１１１  熱収縮性チューブ
【図１】
2008263285.tif 000003
【図２】
2008263285.tif 000004
【図３】
2008263285.tif 000005
【図４】
2008263285.tif 000006
【図５】
2008263285.tif 000007
【図６】
2008263285.tif 000008
【図７】
2008263285.tif 000009
【図８】
2008263285.tif 000010
【図９】
2008263285.tif 000011
【図１０】
2008263285.tif 000012
【図１１】
2008263285.tif 000013
【図１２】
2008263285.tif 000014